(57)【要約】  【課題】  安全で、収納スペース・動作スペースを最少限にできる横開きシートシャッターを提供する。  【解決手段】  横開きシートシャッター１は、横方向にスライドされ開口部を開閉するシート組立体３と、開口部の左右両側に設けられたシートを巻き取る巻取手段７と、シート３の上辺部をガイドするレール１３と、を具備する。シート組立体３は、間が上辺ベルト５でつながれた左右２枚のシート４を有する。建物開口部に左右いずれかのシート４が位置するときに同開口部が閉じられ、上辺ベルト５が位置すると同開口部が開く。シート組立体３の上辺にレール１３からの抜け止め部材が取り付けられており、シート３がレール１３から抜けたり下方にたわむことがない。また、巻取手段７はシート組立体３の左右の上端部を互いに反対方向に引いてシートに張りを与えている。【選択図】  図１
2007303191.tif 000002
【特許請求の範囲】
【請求項１】
建物の開口部において横方向にスライドされ前記開口部を開閉するシートと、
前記開口部の横縁部近傍に設けられた前記シートを巻き取る巻取手段と、
前記シートの上辺部をガイドするレールと、
を具備することを特徴とする横開きシートシャッター。
【請求項２】
前記巻取手段が前記建物開口部の片側（巻取側という）に設けられており、
前記シートの反巻取側の上端部を反巻取側に引いて前記シートに張りを与える引張手段をさらに具備することを特徴とする請求項１記載の横開きシートシャッター。
【請求項３】
前記シートとして、間が上辺ベルトでつながれた左右２枚のシートを具備するとともに、
前記巻取手段が前記建物開口部の左右両側にそれぞれ設けられていることを特徴とする請求項１記載の横開きシートシャッター。
【請求項４】
前記左右のシートの性状又は外観が異なることを特徴とする請求項３記載の横開きシートシャッター。
【請求項５】
前記左右のシートの少なくとも一方が防炎性能を備えるシートであることを特徴とする請求項４記載の横開きシートシャッター。
【請求項６】
前記防炎シート巻取手段の非常用動力源としてバッテリを有し、
火災時には、人手でも開くことができる程度の引張力を前記防炎シートに付与しつつ該防炎シートで前記開口部を閉じることを特徴とする請求項５記載の横開きシートシャッター。
【請求項７】
前記防炎シートの閉方向動作を遮断する障害物を検知するセンサを備え、
該センサが障害物を検知したときに、防災管理室などへ通報を行うことを特徴とする請求項５記載の横開きシートシャッター。
【請求項８】
前記シートとして、左右に上辺ベルトの接続された中央シートを具備し、
前記巻取手段が前記左右ベルトの端部にそれぞれ設けられており、
前記建物開口部に接近する人の位置を検出するセンサを備え、人の接近位置に近い方から前記中央シートを開くことを特徴とする請求項１記載の横開きシートシャッター。
【請求項９】
前記シートの上辺にレールからの抜け止め部材が取り付けられていることを特徴とする請求項１〜８いずれか１項記載の横開きシートシャッター。
【請求項１０】
前記巻取手段が前記建物開口部の左右両側に設けられており、
前記シートの左右の上端部を互いに反対方向に引いて前記シートに張りを与えることを特徴とする請求項３又は８記載の横開きシートシャッター。
【請求項１１】
前記シートの開口部側の辺に、該辺の上端を中心にして開口部の方向に回動するようなモーメントをかける手段を有することを特徴とする請求項１記載の横開きシートシャッター。
【発明の詳細な説明】
【技術分野】
【０００１】
本発明は、横方向にスライドするシートで建物の開口部を開閉する横開きシートシャッターに関する。
【背景技術】
【０００２】
スーパーマーケット等においては、店舗とバックヤード（倉庫や食品加工室など）の間仕切り部を開閉するドアとして、スイングドアやスライドドアが使用されている。これらのドアは、手動で開き、自動的に閉じるタイプのものが多い。特に、店舗とバックヤード間を行き来する人は、箱を手に持って運んだり、食品を台車に載せて運ぶことが多いので、このような箱や台車をドアに押し当てて開くことのできるスイングドアが広く使用されている。
【０００３】
しかしながら、スイングドアやスライドドアは以下のような問題点ある。スイングドアの場合、ドアが開いたときに向こう側に人がいると、ドアが人に当たるおそれがある。このため、ドアには、ドアの向こうが見える透明な窓が設けられる場合もある。また、ドアの回動範囲（スイングする空間）を開けておく必要があり、この範囲に物を置くことができない。一方、スライドドアの場合は、開閉時に回動することはないが、ドアの引き込みスペースが必要になり、設置できる位置が限られてしまう。
【０００４】
一方、シートを上げ下げして開口部を開閉するシートシャッターを使用することも考えられる。しかし、シートシャッターの場合は、閉じられたときにシートの下端が床面に接して、水や異物が付着することがある。このため、シートが上がったときに、下端に付着した水や異物が巻き上げられて人や荷物上に落下することが懸念される。
【発明の開示】
【発明が解決しようとする課題】
【０００５】
本発明は上記の問題点に鑑みてなされたものであって、安全で、収納スペース・動作スペースを最少限にできる横開きシートシャッターを提供することを目的とする。
【課題を解決するための手段】
【０００６】
本発明の横開きシートシャッターは、  建物の開口部において横方向にスライドされ前記開口部を開閉するシートと、  前記開口部の横縁部近傍に設けられた前記シートを巻き取る巻取手段と、  前記シートの上辺部をガイドするレールと、を具備することを特徴とする。
【０００７】
本発明によれば、シートを横方向にスライドさせて巻き取るので、スイングドアのように、ドアの向こうにいる人に開いたドアが当たったり、ドアの回動範囲に物を置けないなどの制約もない。また、巻き取られたシートは、建物開口部の三方枠内に取り付けられるボックス内に収容されるので、スライドドアのようにドアの引き込みスペースを確保する必要もない。さらに、上下方向にスライドするシートシャッターのように、シートに付着して巻き上げられた水や異物が落下することがあまりないので、クリーンで衛生的である。
【０００８】
このシートシャッターにおいては、シートは上辺部がレールに案内されてスライドし、下辺はフリーとすることができる。このため、建物開口部の下辺の床面にレール等を設置する必要がなく、いわゆるバリアフリー対応に適している。
【０００９】
本発明においては、  前記巻取手段が前記建物開口部の片側（巻取側という）に設けられており、  前記シートの反巻取側の上端部を反巻取側に引いて前記シートに張りを与える引張手段をさらに具備することが好ましい。
【００１０】
シートをスライドさせる際や建物開口部がシートで閉じられた際に、シートの両側辺を巻取手段と引張手段によって互いに反対方向に引くことによって、シートを左右方向に張った状態に維持でき、シートのばたつきを押えることができる。また、閉時にも巻取手段や引張手段を作動状態としてシートに適当な張りを持たせておくと、人が誤ってシートにぶつかったりしたときに、シートが一気に巻き解れずにたわんで衝撃を吸収する。この場合、たわんだ分だけ巻取手段や引張手段を反対方向に回転させることにより、シートを元の位置に戻すことができる。
【００１１】
本発明においては、  前記シートとして、間が上辺ベルトでつながれた左右２枚のシートを具備するとともに、  前記巻取手段が前記建物開口部の左右両側にそれぞれ設けられていることともできる。
【００１２】
この場合、建物開口部に左右いずれかのシートが位置するときに同開口部が閉じられ、上辺ベルトが位置すると同開口部が開く。建物開口部を閉じるシートを２枚とすることにより、シートに多様性を持たせることができる。
【００１３】
本発明においては、  前記左右のシートの性状又は外観が異なることとすることができる。
【００１４】
例えば、左右のシートの店内側の面に、異なる商品の公告を印刷することができる。また、一方のシートに防虫機能や遮音機能を持たせたり、メッシュ製とすることもできる。
【００１５】
また、  前記左右のシートの少なくとも一方が防炎性能を備えるシートであることともできる。
【００１６】
一方のシートを防炎シートとすることにより、建築基準法令第１１２条第１４項第２号又は令第１４５条第１項第２号などにより、非常時に閉鎖するように規定された建物開口部にも横開きシートシャッターを設置することができる。この際、スイング式のドアのようにドアの回動範囲を開けておく必要がないので、実質的に設置スペースが狭くてすむ防災扉を提供できる。
【００１７】
さらに、  前記防炎シート巻取手段の非常用動力源としてバッテリを有し、  火災時には、人手でも開くことができる程度の引張力を前記防炎シートに付与しつつ該防炎シートで前記開口部を閉じることが好ましい。
【００１８】
この場合、火災時に停電したとき等でも防炎シートを閉じることができる。また、シート閉中にも巻取手段を作動状態に維持してシートに適当な張りを持たせておくことにより、シートが閉じた後に人手でも開くことができるとともに、開いた後自動的に閉じるようにすることができ、安全性が高まる。
【００１９】
さらに、  前記防炎シートの閉方向動作を遮断する障害物を検知するセンサを備え、  該センサが障害物を検知したときに、防災管理室などへ通報を行うことが好ましい。
【００２０】
この場合、防炎シートが障害物で完全に閉まらないことが防災管理室などへ通報されるので、障害物を除去するなどの処置を早急にとることができる。
【００２１】
本発明においては、  前記シートとして、左右に上辺ベルトの接続された中央シートを具備し、  前記巻取手段が前記左右ベルトの端部にそれぞれ設けられており、  前記建物開口部に接近する人の位置を検出するセンサを備え、人の接近位置に近い方から前記中央シートを開くことともできる。
【００２２】
この場合、人の接近位置に合わせて、シートのスライド方向を選択できる。例えば、人が右方向から建物開口部に接近した場合、同開口部が右から開くようにシートを左方向にスライドさせる。すると、人はシートが完全に開くのを待たずに、開き始めた右側から同開口部を通り抜けることができる。
【００２３】
これらの発明においては、  前記シートの上辺にレールからの抜け止め部材が取り付けられていることが好ましい。
【００２４】
本発明の横開きシートシャッターは、シート開閉時にシートの上辺部はレールを通ってスライドする。そこで、シートの上辺部にレールからの抜けを防止するための抜け止め部材を取り付けることにより、シートが建物開口部の途中でレールから抜けたり下方にたわんだりすることなくスライドさせることができる。
【００２５】
さらに、この抜け止め部材を設けることにより、シートが巻き取られるときに巻きの外側が自重でずり落ちることがないように、外側ほど上方に重なるようにシートを誘導し、重なったときに厚さが小さくなるように、シートを巻きつけることができる。
【００２６】
これらの横開きシートシャッターにおいては、  前記巻取手段が前記建物開口部の左右両側に設けられており、  前記シートの左右の上端部を互いに反対方向に引いて前記シートに張りを与えることが好ましい。
【００２７】
この場合、シートをスライドさせる際や建物開口部がシートで閉じられた際に、シートの両側辺を巻取手段によって互いに反対方向に引くことによって、シートを左右方向に張った状態に維持でき、シートのばたつきを押えることができる。また、シート閉中にも巻取手段や引張手段を作動状態としてシートに適当な張りを持たせておくと、人が誤ってシートにぶつかったりしたときに、シートが一気に巻き解れずにたわんで衝撃を吸収する。この場合、たわんだ分だけ巻取手段を反対方向に回転させることにより、シートを元の位置に戻すことができる。
【００２８】
さらに、これらの横開きシートシャッターにおいては、  前記シートの開口部側の辺に、該辺の上端を中心にして開口部の方向に回動するようなモーメントをかける手段を有することが好ましい。
【００２９】
この場合、シートを横方向にテンションをかけた状態で開閉することができ、シートの下辺がめくれたりばたつくことを防ぐことができる。
【発明の効果】
【００３０】
以上の説明から明らかなように、本発明によれば、建物開口部を横方向にスライドするシートで開閉するので、占有面積を狭くすることができる。さらに、シートを２枚使用するなどにより、多様性のある横開きシートシャッターを提供できる。
【発明を実施するための形態】
【００３１】
以下、本発明の実施の形態について、図面を参照しながら詳細に説明する。
図１は、本発明の第１の実施の形態に係る横開きシートシャッターの構造を模式的に示す図であり、図１（Ａ）は平面図、図１（Ｂ）は正面図である。
図２は、図１のシートシャッターのシートの構造を示す図であり、図２（Ａ）は正面図、図２（Ｂ）はシート上端の断面図である。
図３は、図１のシートシャッターの左右の巻取手段の構造を示す図である。
図４は、図１のシートシャッターのレールの構造を示す図であり、図４（Ａ）は断面図、図４（Ｂ）はレールとシートの係合部を拡大して示す断面図である。
図５は、図１のシートシャッターの制御部のブロック図である。
以下の説明において、左右方向は図面に記した左右方向を示し、前後方向は図面に記した前後方向を示す。
【００３２】
図１に示すように、横開きシートシャッター１は、シート組立体３と、同シート組立体３を左右のそれぞれの方向に巻き取る左右の巻取手段７Ｌ、７Ｒと、シート組立体３の上辺をガイドするレール１３等から構成されている。この横開きシートシャッター１は、建物の開口部（例えば、店舗とバックヤードとの間の開口部）に設けられた、上枠部材５１Ｈと左右枠部材５１Ｌ、５１Ｒからなる三方枠内に配置されている。図１（Ａ）に示すように、上枠部材５１Ｈの店舗側の面及びバックヤード側の面には、人が建物開口部に接近したことを検知するセンサ２１が設けられている。
【００３３】
シート組立体３は、図２に示すように、右シート４Ｒ及び左シート４Ｌと、左右シート４Ｌ、４Ｒの上端部をつなぐ上辺ベルト５からなり、左シート４Ｌの右辺、上辺ベルト５、右シート４Ｒの左辺によって三方が囲まれたシート開口が形成される。左右シート４Ｌ、４Ｒ及び上辺ベルト５の幅は建物開口部の幅とほぼ同じである。左シート４Ｌの右辺（シート開口の左側の境目となる部分）と右シート４Ｒの左辺（シート開口の右側の境目となる部分）には、シート厚さが厚い帯状の補強部４ａが設けられている。このシート組立体３は、後述する巻取手段７によって左右のそれぞれの方向に巻き取られる。このとき、左右のシート４Ｌ、４Ｒが建物開口部に位置すると、同開口部が閉じ、上辺ベルト５が建物開口部に位置すると、同開口部が開く。この例では、左右のシート４Ｌ、４Ｒの店舗側の面に異なる商品の広告が印刷されている。
なお、図１では、わかりやすく説明するために、左右のシート４が両方とも建物開口部内に入り込んでいるように描かれているが、実際は、開時には、上辺ベルト５のみが開口部に位置し、両シート４は両巻取手段７に巻き取られて開口部内に入り込んでいない。
【００３４】
左右シート４Ｌ、４Ｒの上辺、及び、上辺ベルト５の上辺には、抜け止め部材６が取り付けられている。抜け止め部材６は、図２（Ｂ）に示すように、断面形状がＴ字型の部材で、断面が倒立円錐台状のヘッド部６ａと、帯状部６ｂとからなる。この帯状部６ｂが、シート４Ｌ、４Ｒ、上辺ベルト５の上辺に沿って接着されている。以下の説明において、左を示す場合は符号の後にＬを付し、右を示す場合は符号の後にＲを付す。特に左右を区別しない場合は符号のみを示す。
【００３５】
図３に示すように、左右の巻取手段７（図３には右巻取手段７Ｒを示す）は、モータ８と、同モータ８の駆動軸に連結するローターパイプ９とからなる。これらの巻取手段７は、左右枠部材５１Ｌ、５１Ｒの内側に設けられた左右ボックス１１Ｌ、１１Ｒ内に配置されている。モータ８としては、減速機付きのＤＣブラシレスモータを使用できる。各モータ８にはブレーキが備えられている。
【００３６】
ローターパイプ９の上端には、モータ８の回転軸が固定されており、下端は、軸受１０を介して床面に固定されている。右ローターパイプ９Ｒには、右シート４Ｒの右辺が固定されている。左ローターパイプ９Ｌには、左シート４Ｌの左辺が固定されている。各シートは、左右ボックス１１の建物開口部側の面に形成された、上下方向に延びるスリット状の開口から出し入れされる。
【００３７】
シート組立体３の上辺（抜け止め部材６）は、レール１３によってガイドされる。レール１３は、図１に示すように、上枠部材５１の下方の左右ボックス１１Ｌ、１１Ｒ間に設けられたレールボックス１５内に、左右ボックス間に渡って配設されている。また、図４に示すように、レールボックス１５の下側の面には、左右方向に延びるスリット状の開口１５ａが形成されている。
【００３８】
図４（Ａ）に示すように、レール１３は、断面形状がボックス状で、下面には、左右方向に延びるスリット状の開口であるシート案内部１３ａが形成されている。シート案内部１３ａの各縁からは、ボックス内の上方向に延びる縁部１３ｂが折り曲げられている。各縁部の上端部１３ｃは、互いに拡がる方向に曲げられている。各上端部１３ｃはカバー１４で覆われている。ここで、レール１３の上端部１３ｃは、ローターパイプ９に固定されているシート４の上端よりやや高い位置であることが好ましい。
【００３９】
シート組立体３の上辺（抜け止め部材６）は、レール縁部１３ｃ間に通されており、図４（Ｂ）に示すように、この縁部１３ｃの上に、倒立円錐台形状の抜け止め部材頭部６ａが乗ってスライドする。そして、シート４はレール１３の案内部１３ａとレールボックス１５の下面のスリット状開口１５ａから垂下する。
【００４０】
モータ８やブレーキ、センサ２１は、制御部１７で制御される。制御部１７は、ＣＰＵやタイマ等から構成されており、レールボックス１５内に収容されている（図１参照）。この例では、図５に示すように、右側モータ８Ｒ及びブレーキは、ＣＰＵからモータドライバ、ブレーキドライバを介して制御される。このＣＰＵは、Ｉ／Ｏポートを介して左側ＣＰＵに接続している。そして、左側モータ８Ｌ及びブレーキは、この左側ＣＰＵからモータドライバ、ブレーキドライバを介して制御される。また、ＣＰＵには、人検知センサ２１や、後述する警報装置やタイマーなどの入力インターフェースと、出力インターフェースが接続している。
【００４１】
このシートシャッターの巻取動作と建物開口部の開閉状態について説明する。
閉時は、建物開口部に左右いずれかのシート４が位置している。この際、各モータ８を稼動させて（例えば、１／１４程度）、シート４を反対方向に引っ張るように弱いトルクをかけて、シート４にテンションをかけておく。このようにすることにより、閉時にシート４に人や物がぶつかったときには、シート４がローターパイプ９から一気に巻き解れずにたわんで衝撃を緩和する。このとき、各モータ８は逆方向に回転する。回転数検出が可能なモータを使用した場合は、その後、モータ８が逆方向に回転した回転数分だけ元の方向に回転し、たわみを取ってシート４を自動的に元の状態に戻すことができる。また、非常時等においても、手動で開いた後、元の位置に自動的に戻すことができる。
【００４２】
上枠部材５１Ｈに取り付けられたセンサ２１が人が建物開口部に接近したことを検知すると、制御部１７に信号が送られる。制御部１７は、一方の巻取手段７を駆動してシート４を巻き取る。
【００４３】
例えば、建物開口部に右側のシート４Ｒが位置していた場合、右側のモータ８Ｒを駆動して右シート４Ｒを右ローターパイプ９Ｒに巻き取るように制御する。この際、左側のモータ８Ｌには弱くブレーキをかける、または、弱い力で逆方向に回転させておく。こうすることにより、シート４Ｒは左右に張られたままで巻き取られる。そして、上辺ベルト５が建物開口部に達して同開口部が開くと、モータ８Ｒを停止する。
【００４４】
そして、所定時間経過後（人が完全に建物開口部を通過したことが確認される時間後）、人検知センサ２１が人の建物開口部への接近を検知しなければ、一方のモータ８を駆動して上辺ベルト５をローターパイプ９に巻き取り、建物開口部に一方のシート４を位置させて、同開口部を閉じる。
【００４５】
シート組立体３の巻き取り時には、シート組立体３の上辺の抜け止め部材６が、レール１３内をスライドする。このとき、抜け止め部材６のヘッド６ａがレール１３の上端部１３ｃに乗っているので、シート組立体３がレール１３から抜け落ちたり、下方向にたわむことなく左右方向にスライドする。そして、シート組立体３がレール１３から出てローターパイプ９に巻き付いていくときに、レール１３の上端部１３ｃは、ローターパイプ９に固定されている左右のシート４の上端よりやや高い位置にあるので、ローターパイプ９に巻き取られていくシート組立体３の抜け止め部材６のヘッド６ａが、連続して上に重なるように巻き付いていく。
【００４６】
一般に、この例のように、左右いずれかの辺が上下方向に延びるローターパイプに固定されたシートをローターパイプ等に巻き付ける場合、巻きの外側になるほどシートが自重で下側にずり落ちていくようなことがある。しかし、この例のシート組立体３においては、ローターパイプ９に巻き取られていくシート４の抜け止め部材６のヘッド６ａが、連続して上に重なるように巻き付いていくので、シート４が自重でずり落ちるようなことがない。
【００４７】
図６は、抜け止め部材の他の構造を示す図である。
この例の抜け止め部材６´も、ヘッド部６ａと、帯状部６ｂとからなる。ヘッド部６ａは、帯状部６ｂの上辺から上斜め方向及び下斜め方向に張り出しており、巻きの外側が下外方向に斜めに延びている。シート４の上辺は、帯状部６ｂの下辺に接続している。この例では、ローターパイプ９に連続して巻き付いていくシート４の抜け止め部材６´が、順にヘッド部６ａの上に乗るように重なっていくので、シート４が自重でずり落ちることがない。
【００４８】
シートの上辺をレールから抜け止めする方法としては、他に以下の方法が挙げられる。
例えば、シートの上辺に沿って短いスリットを連続して形成しておき、レールにこのスリットに係合する歯を有する歯車を、表側と裏側に交互に配置する。シートスライド時には、スリットが歯車に噛み合うので、シートの抜け止めとなる。他にも、ジッパーのような噛み合い方法を適用することもできる。
【００４９】
この例では、制御部１７に備えられたタイマによって、所定時間ごとにシート４を巻き取る巻取手段７を変えて、シート４のスライド方向を変える。例えば、ある時間帯は、建物開口部を閉じる際に、右側モータ８Ｒを駆動させて、右側シート４Ｒと上辺ベルト５を右側ローターパイプ９Ｒに巻き取り、同開口部に左シート４Ｌを位置させて、同シートに印刷されている広告を店舗側にディスプレイする。所定時間（例えば１時間）経過すると、建物開口部を閉じる際に、左側モータ８Ｌを駆動させて、左側シート４Ｌと上辺ベルト５を左側ローターパイプ９Ｌに巻き取り、同開口部に右シート４Ｒを位置させて、同シートに印刷されている広告を店舗側にディスプレイする。
あるいは、昼間と夜間とで異なる商品の公告がディスプレイされるようにしてもよい。
【００５０】
このシートシャッター１は、図１に示すように、シート４の下端はフリーであり、建物開口部の下辺にレール等が設置されていない。このため、レールにつまづいたり、台車などがレールに引っ掛かることがなく、スムーズに出入りすることができる。ただし、シート下端がフリーであることにより、風圧によってはシートの下端がめくれることも考えられる。しかし、シート開口の境目となるシート４の左右辺４ａは、シート厚さを厚くして補強されているので、この部分４ａがほぼ垂直に垂下し、シートがめくられることを防いでいる。また、シート開口の境目となる各シートの左右辺を、縦方向に曲げに強い構造とすることもできる。なお、支障があまりない程度の大きさ・構造の下辺ベルト、下レールを設けてもよい。
【００５１】
さらに、この例のシートシャッターは、建物の開口部の三方枠内に取り付けることができるので、スライドドアのような引き込みスペースを必要とせず、スイングドアのような開き時に占める場所がないので、適用範囲がより広くなる。
【００５２】
また、この例においては、左右シートに、以下の例のような多様性を持たせることもできる。
ア）シートの種類を変える。
例えば、一方のシートには、商品の広告を印刷し、他方のシートを防虫タイプのシート（例えば、防虫用シート、ズイホー産業株式会社製）とする。このシートは、光透過率分布の、昆虫の可視範囲と重なる分布範囲を少なくしている。これにより、昆虫が暗いと判断してシートに近づかなくなる。この場合、昼間は店内に公告をディスプレイし、夜間は防虫シートで建物開口部を閉じておくと、昆虫がシートに近づかないので、バックヤードから店内への虫類の侵入を防止することができる。
さらに、シートに遮音機能を有するシートや、メッシュシート等を使用することもできる。
【００５３】
イ）非常時対応シートとして使用する。
例えば、一方のシートを公告用などの標準タイプのシートとして、他方のシートに防炎タイプのシートを使用する。防炎シートとしては、不燃性のシート（例えば、シリカシート）を使用できる。この場合、建築基準法令第１１２条第１４項第２号又は令第１４５条第１項第２号などにより非常時に閉鎖するように規定された建物開口部に、この例のシートシャッターを設ける。そして、制御部を火災報知器などと電気的に接続しておき、非常時に火災報知器からの信号を受けて、建物開口部を防炎タイプのシートで閉じるように制御する。防炎ドアがスイングタイプのドアの場合は、ドアの回動範囲内に物を置くことが禁じられていたが、この例のシートシャッターでは、このような制約がない。
【００５４】
防炎タイプのシートを使用する場合には、巻取手段の動力源としてバッテリを備えることが好ましい。火災などで停電した場合は、このバッテリでモータを駆動してシートを閉じる。モータとして、回転数検出が可能なＤＣブラシレスモータを使用した場合、防炎シートが閉じられていても、モータを作動状態としておくと、人が誤ってシートに衝突したときに、シートが一気に巻き解れずにたわんで衝撃を吸収する。また、手でシートを引いて開けることができる。そして、シートが開いた分のモータの回転数が検出され、その回転数分だけモータを逆方向に回転させれば、シートを再び閉じることができる。
【００５５】
さらに、防炎シートの閉方向動作を遮断する障害物を検知するセンサを備えることもできる。このようなセンサとしては、例えば、光電管センサ（例えば、オムロン社製Ｅ３Ｚ型）を使用できる。この場合、センサは制御部１７と電気的に接続しているとともに、制御部１７が防災管理室などと電気的に接続している。そして、センサが障害物を検出すると、制御部１７から防災管理室へ通報を行う。
【００５６】
図７は、本発明の第２の態様に係る横開きシートシャッターの構造を説明する正面図である。
この例の横開きシートシャッターは、図１の横開きシートシャッターと異なり１枚のシート３と、シート３を巻き取る１個の巻取手段７と、シート３の反巻取側の上端部を反巻取側に引く引張ユニット（引張手段）３５と、シート３の上辺をガイドするレール１３とから構成されている。
【００５７】
巻取手段７は、図１の横開きシートシャッターと同様で、モータ８とローターパイプ９からなり、右ボックス（図１の符号１１Ｒ）内に収容されている。ローターパイプ９の上端には、モータ８の回転軸が固定されており、下端は軸受（図７には図示されず、図１の符号１０に相当）を介して床面に固定されている。
【００５８】
シート３は建物開口部を覆う寸法を有し、この例では、右辺がローターパイプ９に固定されている。シート３の左辺には、補強バー３ｂが上下方向に延びるように取り付けられている。この補強バー３ｂと、レール１３と、左ボックス（図８には図示されず、図１の符号１１Ｒ）によって三方が囲まれたシート開口が形成される。補強バー３ｂの上端は、ローラースライド３０に回動可能に取り付けられている。ローラースライド３０は、左右のローラー３１と、これらのローラー３１が回転可能に取り付けられたベース３２からなる。ベース３２には下方に延びる取り付け部３２ａが形成されている。この取り付け部３２ａは、レール１３のシート案内部から下方へ突き出している。
【００５９】
シート３の補強バー３ｂの上端は、ローラースライド３０のベース３２の取り付け部３２ａに、回転可能に取り付けられているとともに、バネ３３でベース３２に連結している。このバネ３３は、補強バー３ｂを、同部材３ｂと取り付け部３２ａとの回転支点Ｐを中心にして、シート開口の内方向に回転させるように付勢している。これにより、補強バー３ｂには、バネ３３によって、回転支点Ｐを中心としてシート開口の内方向（図７の時計方向）へ回転するモーメントがかかり、シート３は補強バー３ｂとローターパイプ９との間で横方向に張られる。
【００６０】
レール１３が収容されたレールボックス（図１の符号１５）の反モータ側の端部には、引張ユニット３５が設置されている。引張ユニット３５としては、例えば、ワイヤー引き込み式ぜんまいユニット（ＭＳＷ−Ｂ型、サンコースプリング株式会社製）を使用できる。引張ユニット３５には、引き込み力調整可能なぜんまい３６が内蔵されている。このぜんまい３６にはワイヤー３７が接続している。引き込みユニット３５からワイヤー３７が引き出された後、引出し力を解除すると、ワイヤー３７は自動的にぜんまいに巻き取られる。ワイヤー３７の先は、ローラースライド３０のベース３２に接続している。
【００６１】
この例では、シート３の補強バー３ｂが固定されたローラースライド３０が、引張ユニット３５によって同ユニットの方向に引っ張られて、建物開口部がシート３で閉じられている。同開口部を開く場合は、モータ８を駆動してシート３をローターパイプ９に巻き取る。シート３が巻き取られた後モータ８を停止させると、シート３は補強バー３ｂで引っ張りユニット３５に引っ張られて建物開口部がシート３で閉じられる。スライド時や閉時に、シート３は前述のように横方向に張られているので、シートはばたついたりめくれずにスライドする。
【００６２】
図８は、本発明の第３の態様に係る横開きシートシャッターの構造を説明する図であり、図８（Ａ）はシートの正面図、図８（Ｂ）はセンサの検知範囲を説明する図である。
この例の横開きシートシャッターは、図１の横開きシートシャッターとほぼ同様の構成を有するが、シート組立体３の形状が図１の横開きシートシャッターのシート組立体と形状が異なる。この例のシート組立体３は、図８（Ａ）に示すように、中央シート４Ｍと、中央シート４Ｍの左右辺の上端からそれぞれ左方向と右方向に延びる左上辺ベルト５Ｌと右上辺ベルト５Ｒからなる。中シート４Ｍ及び上辺ベルト５の幅は建物開口部の幅とほぼ同じである。
【００６３】
左上辺ベルト５Ｌは左ローターパイプ９Ｌに接続しており、右上辺ベルト５Ｒは右ローターパイプ９Ｒに接続している。この例では、左ローターパイプ９Ｌ、左上辺ベルト５Ｌ、中シート４Ｍの左辺によって三方が囲まれた左シート開口と、中シート４Ｍの右辺、右上辺ベルト５Ｒ、右ローターパイプ９Ｒの左辺によって三方が囲まれた右シート開口が形成される。この例では、中シート４Ｍが建物開口部に位置すると、同開口部が閉じ、２本の上辺ベルト５Ｌ、５Ｒが建物開口部に位置すると、同開口部が開く。
【００６４】
さらに、建物開口部に人が接近したことを検知するセンサ２１として、人の接近位置も検知できるタイプのものを使用する。このようなセンサとしては、図８（Ｂ）に示すように、複数本の光線を放射状に出して比較的広いエリアを検知できるタイプのセンサ（例えば、プロセーフＯＡ−２０３Ｃ、商品名、オプテックス株式会社製）を使用できる。このセンサ２１は制御部１７と電気的に接続しており、検知位置を示す信号が制御部１７に送られる。
【００６５】
制御部１７では、人が接近してきた位置に合わせて各モータ８を制御する。例えば、人が中心から左側の部分から建物開口部に接近してきた場合は、同開口部が左側から開くように右側モータ８Ｒを駆動して中シート４Ｍを右側ローターパイプ９Ｒに巻き取るように制御する。反対に、人が中心から右側の部分から建物開口部に接近してきた場合は、同開口部が右側から開くように左側モータ８Ｌを駆動して中シート４Ｍを左側ローターパイプ９Ｌに巻き取るように制御する。
【００６６】
このように、人が接近してきた側から建物開口部が開いていくので、シートが完全に開くのを待たずに同開口部を通ることができる。
【図面の簡単な説明】
【００６７】
【図１】本発明の第１の実施の形態に係る横開きシートシャッターの構造を模式的に示す図であり、図１（Ａ）は平面図、図１（Ｂ）は正面図である。
【図２】図１のシートシャッターのシートの構造を示す図であり、図２（Ａ）は正面図、図２（Ｂ）はシート上端の断面図である。
【図３】図１のシートシャッターの左右の巻取手段の構造を示す図である。
【図４】図１のシートシャッターのレールの構造を示す図であり、図４（Ａ）は断面図、図４（Ｂ）はレールとシートの係合部を拡大して示す断面図である。
【図５】図１のシートシャッターの制御部のブロック図である。
【図６】抜け止め部材の他の構造を示す図である。
【図７】本発明の第２の態様に係る横開きシートシャッターの構造を説明する正面図である。
【図８】本発明の第３の態様に係る横開きシートシャッターの構造を説明する図であり、図８（Ａ）はシートの正面図、図８（Ｂ）はセンサの検知範囲を説明する図である。
【符号の説明】
【００６８】
１  横開きシートシャッター
３  シート組立体                          ４  シート
５  上辺ベルト                            ６  抜け止め部材
７  巻取手段                              ８  モータ
９  ローターパイプ                      １０  軸受
１１  ボックス                            １３  レール
１４  カバー                              １５  レールボックス
１７  制御部                              ２１  センサ
３０  ローラースライド                    ３１  ローラー
３２  ベース                              ３３  バネ
３５  引張ユニット                        ３６  ぜんまい
３７  ワイヤー
５１  枠部材
【図１】
2007303191.tif 000003
【図２】
2007303191.tif 000004
【図３】
2007303191.tif 000005
【図４】
2007303191.tif 000006
【図５】
2007303191.tif 000007
【図６】
2007303191.tif 000008
【図７】
2007303191.tif 000009
【図８】
2007303191.tif 000010